(57)【要約】【課題】顧客が非常に管理しやすく、かつ、その情報が十分活用できるように構成された情報提供システムを提供する。【解決手段】情報管理部１０１とクリーニング工程管理部１００と顧客３０は、インターネット回線等の外部通信回線網等による通信回線４により、相互に接続されている。情報管理部１０１は、データサーバ１、預かり物画像データベース２、カルテデータベース３等により構成される。また、データサーバ１は、主として、制御部１８、預かり物画像ＤＢ検索部１２、カルテＤＢ検索部１３、電子カルテ記録部１４、ＳＮＳ接続部１５等により構成される。【選択図】図１
2018142367.tif 000002
【特許請求の範囲】
【請求項１】
受け付けられた預かり物に対して物件識別コードを付与し、前記物件識別コードにより作業工程を管理するコンピュータと、
前記物件識別コードに対応して前記コンピュータにより作成され、前記預かり物のメンテナンス内容を含む情報データが登録された第１の記憶手段と、
前記預かり物のクリーニング処理前とクリーニング処理後の画像が前記物件識別コードに関連付けられて記憶された第２の記憶手段とを備え、
閲覧者又は前記預かり物を預けた顧客は、端末装置から前記第１の記憶手段及び前記第２の記憶手段にアクセスして、前記第１の記憶手段に登録された前記メンテナンス内容を検索条件として前記クリーニング処理前画像と前記クリーニング処理後画像を抽出でき、
前記クリーニング処理前画像と前記クリーニング処理後画像が比較できるように、前記顧客又は閲覧者の表示装置に表示され、
前記クリーニング処理前画像と前記クリーニング処理後画像は前記預かり物のアングルを変えて撮影した画像が含まれることを特徴とするクリーニング情報提供システム。
【請求項２】
受け付けられた預かり物に対して物件識別コードを付与し、前記物件識別コードにより作業工程を管理するコンピュータと、
前記物件識別コードに対応して前記コンピュータにより作成され、前記預かり物のメンテナンス内容を含む情報データが登録された第１の記憶手段と、
前記預かり物のクリーニング処理前とクリーニング処理後の画像が前記物件識別コードに関連付けられて記憶された第２の記憶手段とを備え、
閲覧者又は前記預かり物を預けた顧客は、端末装置から前記第１の記憶手段及び前記第２の記憶手段にアクセスして、前記第１の記憶手段に登録された前記メンテナンス内容を検索条件として前記クリーニング処理前画像と前記クリーニング処理後画像を抽出でき、
前記クリーニング処理前画像と前記クリーニング処理後画像が比較できるように、前記顧客又は閲覧者の表示装置に表示され、
前記クリーニング処理前画像と前記クリーニング処理後画像は前記預かり物の表側、裏側、横方向、上下方向にアングルを変えて撮影した画像が含まれることを特徴とするクリーニング情報提供システム。
【請求項３】
前記クリーニング処理前画像と前記クリーニング処理後画像は、それぞれ前記預かり物の部分画像が含まれており、
前記部分画像において、前記クリーニング処理前画像における部分画像の上下の並びと前記クリーニング処理後画像における部分画像の上下の並びを同じ位置に同じ部位の画像が並ぶように配置することを特徴とする請求項１又は２に記載のクリーニング情報提供システム。
【発明の詳細な説明】
【技術分野】
【０００１】
本発明は、クリーニング処理工程における情報や顧客からの情報等の様々な情報を随時閲覧でき、クリーニング対象物の様々な情報を管理することができるクリーニング情報提供システムに関する。
【背景技術】
【０００２】
従来、例えば、特許文献１のように、クリーニングサービスにおいて、クリーニング履歴等の情報をクリーニング業者側のデータベースに蓄積し、適宜クリーニング履歴を参照して、業務を進めるシステムは提供されていた。
【０００３】
また、特許文献２のように、顧客が所有する預かり物について、クリーニング履歴や現在の状態等をクリーニング業者側のサーバにアクセスして閲覧でき、顧客が家庭で洗濯した履歴を業者側のサーバに反映させるシステムが提案されている。
【先行技術文献】
【特許文献】
【０００４】
【特許文献１】特開平２０１０−１４０１４３号公報
【特許文献２】特開２００３−１５９５００号公報
【発明の概要】
【発明が解決しようとする課題】
【０００５】
しかし、業者側のデータベースに蓄積されたクリーニング履歴に対して、顧客側からアクセスできたとしても、顧客に提供されるのは、クリーニング履歴情報程度であるので、その情報を管理して活用しようとしても、使用しにくいものとなっていた。
【０００６】
本発明は、上述した課題を解決するために創案されたものであり、顧客が非常に管理しやすく、かつ、その情報が十分活用できるように構成された情報提供システムを提供することを目的とする。
【課題を解決するための手段】
【０００７】
上記目的を達成するために、本発明のクリーニング情報提供システムは、受け付けられた預かり物に対して物件識別コードを付与し、前記物件識別コードにより作業工程を管理するコンピュータと、前記物件識別コードに対応して前記コンピュータにより作成され、前記預かり物の属性情報を含む情報データが登録された電子カルテを記憶する第１の記憶手段と、前記預かり物のクリーニング処理前とクリーニング処理後の画像が前記物件識別コードに関連付けられて記憶された第２の記憶手段とを備え、閲覧者又は前記預かり物を預けた顧客は、端末装置から前記第１の記憶手段及び前記第２の記憶手段にアクセスして、前記電子カルテに登録された情報データを検索条件として前記クリーニング処理前画像と前記クリーニング処理後画像を抽出できることを主要な特徴とする。
【発明の効果】
【０００８】
本発明によれば、顧客が非常に管理しやすく、かつ、その情報が十分活用できるように構成されたクリーニング情報提供システムを提供することができる。また、クリーニング業者以外の業種の業者に対しても、有益な情報を提供することができる。
【図面の簡単な説明】
【０００９】
【図１】本発明のクリーニング情報提供システムの構成を示すブロック図である。
【図２】顧客が電子カルテ情報を閲覧する場合のフローを示す図である。
【図３】顧客が預かり物画像を閲覧する場合のフローを示す図である。
【図４】顧客がウエブカウンセリングを受ける場合のフローを示す図である。
【図５】カルテＤＢのデータ構造を示す図である。
【図６】預かり物画像ＤＢのデータ構造を示す図である。
【図７】特定の預かり物のクリーニング処理前後の画像やメンテナンス履歴等を検索する画面例を示す図である。
【図８】図７の検索画面により検索が行われた結果を示す図である。
【図９】図８の抽出された物件の一つを選択して表示した画面を示す図である。
【発明を実施するための形態】
【００１０】
以下、図面を参照して本発明の一実施形態を説明する。
【００１１】
例えば、クリーニング情報提供システムは、図１のように情報管理部１０１とクリーニング工程管理部１００等で構成される。情報管理部１０１とクリーニング工程管理部１００と顧客３０は、インターネット回線等の外部通信回線網等による通信回線４により、相互に接続されている。情報管理部１０１は、データサーバ１、データを記憶しておく記憶部６０等により構成される。記憶部６０は、預かり物画像データベース２、カルテデータベース３等により構成される。なお、以下の説明では、データベースのことをＤＢと簡略して表記する場合がある。また、説明を分かりやすくするために、記憶部６０を預かり物画像ＤＢ２、カルテＤＢ３等で構成されるとしたが、記憶部６０を１つのデータベース等とし、このデータベースの中を預かり物画像領域、カルテデータ領域と分けて使用するようにしても良い。
【００１２】
データサーバ１は、主として、制御部１８、預かり物画像ＤＢ検索部１２、カルテＤＢ検索部１３、電子カルテ記録部１４、預かり物画像ＤＢ記録部１５、ＳＮＳ接続部１６等により構成される。
【００１３】
また、クリーニング情報提供システムは、顧客３０から依頼された預かり物２１を受け付けて、一連のクリーニング作業を行い、出荷するまでの処理を行うクリーニング工程管理部１００を備えており、クリーニング工程管理部１００は工程管理サーバ５を有している。工程管理サーバ５は、通信回線４を通じて、情報管理部１０１内のデータサーバ１と通信する。なお、ここで、預かり物とは、衣類だけに限らず、クリーニング可能な対象物をすべて含むもので、例えば、靴、ベルト等の物品も含まれる。
【００１４】
クリーニング工程管理部１００内には、顧客３０がクリーニングサービスを受けようとする預かり物２１を受け取る入荷セクション６と、入荷セクション６で受けた預かり物２１に基づいて電子カルテを作成するカルテ作成セクション７、預かり物２１の預かり時点での寸法を採寸する採寸セクション６６、預かり物２１に割り当てられた固有の物件識別コードを有する識別タグ２０を預かり物２１に取り付ける識別タグ取付セクション８、カルテ作成セクション７で作成された電子カルテに基づいて顧客３０と預かり物２１に関する事項をカウンセリングするカウンセリングセクション９、カウンセリングセクション９で確認された事項に基づいてクリーニング作業を行うクリーニング作業セクション１０、クリーニング作業セクション１０でクリーニング作業が終了した預かり物を顧客３０に向けて出荷するための出荷セクション１１を備えている。また、セクション６〜１１のそれぞれに設置された端末装置５１〜５６それぞれが、ＬＡＮ回線などの工場内ネットワーク回線網によるネットワーク７０を通じて、工程管理サーバ５と通信する。
【００１５】
更に、クリーニング情報提供システムでは、顧客３０が所持する、携帯端末やパソコンなどの端末装置５７が、データサーバ１、工程管理サーバ５と通信可能な構成となっており、顧客３０は、自身が所持する端末装置５７により、通信回線４を通じて、情報管理部１０１内のデータサーバ１、クリーニング工程管理部１００内の工程管理サーバ５にアクセスすることができる。すなわち、顧客３０は、情報管理部１０１のデータサーバ１に登録した、顧客ＩＤやパスワードなどといった個人識別情報を、端末装置５７を通じて、データサーバ１に送信することで、預かり物画像データベース２内及びカルテデータベース３内における、顧客３０に許可された記憶領域へのアクセスが可能となる。また、カルテＤＢ３及び預かり物画像データベース２については、顧客３０自身に許可された記憶領域だけでなく、他の顧客の記憶領域に対してもアクセス可能となっている。
【００１６】
他方、閲覧者３１も、閲覧者３１が所持する、携帯端末やパソコンなどの端末装置５８が、データサーバ１、工程管理サーバ５と通信可能な構成となっており、閲覧者３１は、自身が所持する端末装置５８により、通信回線４を通じて、情報管理部１０１内のデータサーバ１、クリーニング工程管理部１００内の工程管理サーバ５にアクセスすることができる。閲覧者３１には、顧客３０のように預かり物２１のクリーニング処理の依頼を行うことを前提とした者だけではなく、情報の閲覧だけを行う者も含まれる。
【００１７】
なお、図１の構成は、クリーニング情報システムの構成の一例を示したものにすぎない。例えば、情報管理部１０１には、コンピュータやデータベース等を含めた情報管理システムが存在し、クリーニング工程管理部１００には、コンピュータやデータベース等を含めたクリーニング工程管理システムが存在するので、複数のクリーニング工程管理部（例えばクリーニング処理工場）がある場合には、それぞれの工程管理部にクリーニング工程管理システムを設置して、情報管理部と接続するようにして、情報管理部で情報を一元管理することもできる。また、情報管理部１０１のデータサーバ１及び記憶部６０とクリーニング工程管理部１００の工程管理サーバ５及び６〜１１、６６の各セクションの処理機能を１箇所に統合し、１つの管理サーバで管理することもできる。
【００１８】
さらに、図１の構成例では、セクション６〜１１、６６及び工程管理サーバ５が同じクリーニング工程管理部１００内に配置されているものとしているが、セクション６〜１１、６６をクリーニング工程管理部１００と異なる施設にそれぞれ別個に配置されるものとしてもよい。そして、セクション６〜１１、６６が工程管理サーバと別の施設に配置される場合は、インターネット回線網等の通信回線を利用して相互に通信可能とされる。このとき、専用回線や仮想専用回線を利用しても良い。また、工程管理サーバ５については、各セクション６〜１１、６６と独立して設置されるものとして説明するが、各セクション６〜１１、６６のいずれかに設置されるものであってもよく、更には、各セクション６〜１１、６６に設置された端末装置５１〜５６、６５に工程管理サーバ５の機能を備えさせるものとしてもよい。以上のように、クリーニング情報システムは、様々な構成の態様を含むものである。
【００１９】
以下に、各セクション６〜１１、６６で行われる処理内容について説明するが、これらの内容は一例であり、例えば、各セクション６〜１１、６６の処理で状況によっては実行されない処理が発生する場合もある。また、各セクション６〜１１、６６で行われる処理の順番は、セクション６、７、６６、８から１１に従って順に行われる場合に限るものではない。
【００２０】
（顧客からの依頼）
顧客３０とクリーニング工程管理部１００との間で、電話、ファクシミリ通信、メールの送信、ホームページを利用したデータ入力などによる通信がなされて、複数の預かり物２１を１つの物品群１４０とした宅配物をクリーニング工程管理部１００へ配送することが伝えられる。また、物品群１４０をクリーニング工程管理部１００に配送するのではなく、持参することが伝えられる場合もある。また、預かり物を受け付ける取次店がある場合には、クリーニング工程管理部１００に預かり物２１の配送又は持ち込みを直接行わずに、取次店に預かり物２１の配送又は持ち込みが行われる場合もある。
【００２１】
そして、顧客３０より通知された物品群１４０の配送日又は持参日と顧客３０の顧客情報とが、工程管理サーバ５に与えられる。尚、顧客３０の顧客情報は、顧客３０の氏名又は名称や、住所又は居所などの配送元や、電話番号、ファクシミリ番号、又はメールアドレスなどの連絡先情報が含まれる。
【００２２】
一方、事前に顧客３０から連絡がなく、物品群１４０がクリーニング工程管理部１００に配送される場合又は顧客３０が物品群１４０をクリーニング工程管理部１００に持参する場合、あるいは上記のように取次店に配送又は持ち込みが行われた場合には、物品群１４０を受け付けた入荷セクション６以降のいずれかのセクションで顧客情報が入力される。
【００２３】
このとき、新規の顧客であれば、顧客を識別するための顧客ＩＤを発行し、過去に取引があった顧客の場合は、過去に割り当てた顧客ＩＤを用いる。さらに、物品群１４０毎に管理する電子カルテの識別コードを発行して、個々の電子カルテを作成してカルテＤＢ３で管理するとともに、電子カルテには、顧客ＩＤ、上述した、顧客３０の氏名又は名称や、住所又は居所などの配送元や、電話番号、ファクシミリ番号、又はメールアドレスなどの連絡先情報などの顧客情報が登録される。なお、複数の預かり物２１からなる物品群１４０ではなく、単品の預かり物２１の依頼の場合には、単品の預かり物２１に対して電子カルテの識別コードが発行される。
【００２４】
上記顧客３０からの依頼時の応対は、図１には記載されていないが、例えば、受付セクションで行っても良いし、図１の入荷セクション６やカウンセリングセクション９で行っても良い。また、顧客３０がインターネット回線網などの通信回線４を通じて工程管理サーバ５にアクセスすることで、物品群１４０の搬送日と顧客３０の顧客情報とを工程管理サーバ５に送信するものとしてもよい。
【００２５】
（入荷の受付）
クリーニング工程管理部１００では、入荷セクション６で顧客３０からの物品群１４０を受け取る。入荷セクション６では、物品群１４０による宅配物に添付された配送伝票に表記された顧客情報を取得し、取得した顧客情報を工程管理サーバ５を介してデータサーバ１に通知する。データサーバ１は、カルテＤＢ３内を検索し、通知された顧客情報と一致する顧客情報が登録された電子カルテを読み出して、入荷セクション６に送信する。これにより、入荷セクション６では、搬入されて開梱しようとしている物品群１４０に対応した電子カルテが、端末装置５１のディスプレイなどに表示（出力）されるので、先に受け付けを行った顧客から依頼された物品群１４０であることが確認できる。
【００２６】
（カルテ作成）
次に、物品群１４０はカルテ作成セクション７に搬送される。カルテ作成セクション７では、上記の入荷の受付で行ったようにして、端末装置５２のディスプレイなどに電子カルテを表示させ、各預かり物２１の登録を行う。このとき、預かり物２１の登録を工程管理サーバ５に要求し、工程管理サーバ５では、預かり物２１の登録が要求されると、その預かり物２１に対応する物件識別コードを発行して、カルテ作成セクション７に通知する。これにより、カルテ作成セクション７では、表示（出力）されている電子カルテ上において、各預かり物２１に対して割り当てられた物件識別コードが表示される。物件識別コードは、個々の預かり物２１を特定するための識別コードであり、数字、記号、符号、文字、模様、又はこれらを組み合わせた表記等、識別できる表記形式であれば良く、その態様を問わない。カルテコードについても同様である。
【００２７】
そして、カルテ作成セクション７では、預かり物２１の状態、破損箇所、破損種別などといった預かり物状態情報や、ジャケット、コート等の預かり物に関するアイテム、ブランド、形状、素材、色、種類、冬物、夏物、購入年度等の預かり物属性情報、預かり物２１に対して推奨されるクリーニング作業に関するクリーニング処理情報などについて、その入力が受け付けられる。預かり物２１に対する入力の受付が終了されると、入力が受け付けられた預かり物状態情報、預かり物属性情報及びクリーニング処理情報は、預かり物２１の物件識別コード及びカルテコードと共に、工程管理サーバ５を通してデータサーバ１に送信される。データサーバ１の制御部１８は電子カルテ記録部１４に指令を出し、電子カルテ記録部１４は、預かり物状態情報、預かり物属性情報及びクリーニング処理情報を物件識別コードに関連づけて、対応するカルテコードによる電子カルテに登録し、カルテＤＢ３に記憶する。
【００２８】
図５は、カルテＤＢ３のデータ構造の一例を示す。カルテＤＢ３には、電子カルテの識別コード別毎に各種のデータが管理されているが、図５の例では、電子カルテの識別コードとして番号を用い、カルテコード毎に各種のデータが管理される。
【００２９】
１つのカルテコードには、顧客情報、カウンセリング情報が記録されており、入荷受付した物品群１４０の各預かり物２１についての情報が管理されている。例えば、物品群１４０が、２つの預かり物からなる場合には、預かり物Ａに関する情報として、物件識別コード、アイテム、ブランド、素材、色、特徴、預かり時点の状態情報、メンテナンス情報等が記録される。ここで、アイテム、ブランド、素材、色、特徴は、預かり物属性情報に該当する。
【００３０】
また、預かり時点の状態情報として汚れの状態、風合い、色合い、繊維の状態、シルエット、しみ、寸法等の預かり物状態情報が記録される。メンテナンス情報はクリーニング処理情報に該当し、その情報としてメンテナンス内容、メンテナンス料金等が記録される。また、預かり物Ｂに関する情報として、上記と同様の項目の情報が登録される。
【００３１】
電子カルテの顧客情報は、前述したように、住所又は居所、電話番号、ファクシミリ番号、又はメールアドレスなどの連絡先情報などの情報である。カウンセリング情報は、後述するカウンセリングセクションで行う顧客３０とのカウンセリングの結果が記録される。物件識別コードは、物品群１４０を構成する個々の預かり物２１に与えられるもので、番号や記号等による識別コードである。アイテムは、例えばジャケット、コート、パンツ等の預かり物の種類が登録される。ブランドは、ブランド名情報が登録される。素材は、例えばシルク、麻、革、レーヨン等の預かり物の素材情報が登録される。色は、例えばレッド、ブルー、ピンク等の預かり物の色情報が登録される。特徴は、フリル、コーデュロイ、レース等の預かり物の特徴となる情報が登録される。
【００３２】
メンテナンス情報のメンテナンス内容には、預かり物に対して施したクリーニング処理の内容が登録されており、そのクリーニング処理内容に対する料金がメンテナンス料金という項目に記録される。
【００３３】
物品群１４０が、複数の預かり物からなる場合には、その数だけ、預かり物情報が登録される。
【００３４】
一方、クリーニング作業処理を行う前の預かり物２１の写真撮影を行っておく。写真撮影は、個々の預かり物２１について、全体の写真撮影と、複数の領域に分割した部分の写真撮影が行われる。写真撮影された画像データは、物件識別コードとともに、工程管理サーバ５を介してデータサーバ１に送信され、データサーバ１の制御部１８は預かり物画像ＤＢ記録部１５に指令を出し、預かり物画像ＤＢ記録部１５は、画像データを物件識別コードに関連づけて、預かり物画像ＤＢ２に記憶する。このように、預かり物画像ＤＢ２とカルテＤＢ３は、物件識別コードにより関連付けられている。
【００３５】
これにより、カルテＤＢ３内において、各預かり物２１の預かり物状態情報、預かり物属性情報、クリーニング処理情報（メンテナンス情報）が管理されると同時に、１つの物品群１４０を構成する複数の預かり物２１の情報は、１つの電子カルテによって纏めて管理される。また、預かり物画像ＤＢ２において、クリーニング処理前の画像データが物件識別コード毎に管理される。なお、クリーニング処理情報については、後述するカウンセリングセクション９で、作成入力するようにしても良い。
【００３６】
（預かり物の採寸）
電子カルテへの預かり物２１に対する所定の入力情報や画像データの登録が終了すると、採寸セクション６６に搬送される。採寸セクションでは、預かり時点の状態を示すものとして、預かり物２１の採寸が行われる。預かり物２１の寸法を測定して、作業者が端末装置６５から寸法データを送信し、寸法データは工程管理サーバ５を介してデータサーバ１に送信され、データサーバ１の制御部１８は電子カルテ記録部１４に指令を出し、電子カルテ記録部１４は、寸法データを物件識別コードに関連づけて、カルテＤＢ３に記憶させる。このときの寸法データが図５に示す「預かり時点の状態」の項目の「寸法」に該当する。
【００３７】
（識別タグの取付）
採寸が終了すると、物品群１４０の預かり物２１のクリーニング処理の依頼が初めての場合や識別タグが取り付けられていない場合は、識別タグ取付セクション８に搬送される。工程管理サーバ５は、識別タグ取付セクション８に対して、入力情報の登録が終了した預かり物２１への物件識別コードが記録された識別タグ２０の取付を端末装置５３に表示する等して指示する。識別タグ取付セクション８では、物件識別タグ９の取付指令が与えられると、物件識別コードが記録された識別タグ２０を預かり物２１に取り付ける。識別タグ２０は、その表面に物件識別コードを特定できる符号、記号や番号等を示すバーコードが表記されるものであってもよいし、物件識別コードを特定できる表記を記憶できるＩＣタグ、ＲＦＩＤなどのデータキャリアで構成されるものであってもよい。なお、識別タグ２０の取り付けは、カルテ作成セクション７や入荷セクション６で行われるようにしても良い。
【００３８】
（カウンセリング）
カウンセリングセクション８では、顧客３０とカウンセリングを行う。このカウンセリングには、預かり物の現状の画像表示、各種の説明事項、リスク事項等の説明と確認が含まれる。カウンセリングの手順を図４に示す。カウンセリングは電話連絡等で行われることもあるが、基本的にはウエブ上でカウンセリングを受けられるようにしている。電話連絡によるカウンセリングの場合には、預かり物の現状の画像表示ができないため、説明がわかりにくくなることが発生する。図４では、ウエブカウンセリングの場合の例である。
【００３９】
まず、工程管理サーバ５から通信回線４を介して、顧客３０の端末装置５７のメールアドレスなどにアクセスするべきＵＲＬ等を送信してカウンセリングの作業を促す。次に、Ｓ２１に示すように、送付されてきたＵＲＬ又は既に取引がある場合は、所定のウエブページに顧客ＩＤ、パスワードを入力してログインする。ログインした後、預かり物の現状の画像表示、各種の説明事項、リスク事項、ポイント制度等の説明表示が行われるので、これらの事項を確認承認していく（Ｓ２２）。具体的な例を挙げると以下のようになる。預かり物についてクリーニング処理工場で受け付けた時の状態、すなわち預かり物の汚れの状態、破損状態等を画像表示して、内容の説明が行われる。これは、データサーバ１の制御部１８の指令により、顧客ＩＤとカウンセリングが未処理となっている物件識別コードに基づいて、預かり物画像ＤＢ検索部１２が預かり物画像ＤＢ２から対応する預かり物の画像を検索抽出し、カルテＤＢ検索部１３がカルテＤＢ３から対応する預かり物の汚れや破損状態等の預かり物状態情報を検索抽出して、顧客３０の端末装置５７に表示する。
【００４０】
例えば、ウエブページに「了解する」等が表示されたチェックボックスを設けておき、顧客３０が、預かり物の現状の状態について了解する場合には、このチェックボックスにチェックの印を入力してもらうことで承認が行われるようにする。また、各種の説明事項、リスク事項の確認が行われる。例えば、以下のような説明が表示される。（１）推奨するクリーニング作業の内容を表示するとともに、その作業内容に対するリスクが表示される。（２）クリーニング作業に対する料金の説明が表示される。（３）リスクの高いクリーニング作業の場合、同意条項が表示される。（４）「事故賠償等基本規約」、「支払期限等」の説明が表示される。（５）ポイント制度の説明が表示される。上記、（１）〜（５）のいずれの項目に対しても、例えば、それぞれ「了解する」又は「了解しない」等が表示されたチェックボックスが設けられ、そのチェックボックスにチェックの印を入力してもらうことで承認が行われる。上記の承認が行われると、その承認データが端末装置５７から通信回線４を介してデータサーバ１に送信され、データサーバ１の電子カルテ記録部１４により、カルテＤＢ３内の対応する電子カルテに各項目の承認の書き込みが行われる。
【００４１】
そして、クリーニング処理に関する料金の支払いについて、支払い方法の選択が表示され、クレジットカードの場合は、ウエブ上でクレジットカードの認証が行われる（Ｓ２３）。
【００４２】
（クリーニング作業）
クリーニング処理を開始する預かり物２１がクリーニング作業セクション１０に搬入されると、クリーニング作業セクション１０内の複数の作業エリアで作業を行うために、オペレータにより預かり物２１が振り分けられる。それぞれの作業エリアには、預かり物２１に対して、例えば、洗濯処理、仕上げ処理、修理・修繕処理などのクリーニング処理を施すための処理装置が設置されている。上記のように、本発明でのクリーニング作業には、預かり物に対して外れたボタンを取り付ける、色落ちした箇所を元の色に戻す等、修理・修繕処理が含まれており、この処理は、通常行われる洗濯処理、仕上げ処理と共に行われる場合もあれば、単独で行われる場合もある。
【００４３】
そして、各作業エリアにおけるオペレータは、預かり物２１に取り付けられた識別タグ２０より取得された物件識別コードを入力して、工程管理サーバ５に通知する。このとき、識別タグ２０より直接情報を読み出すリーダ装置が用いられることで、リーダ装置で読み出された物件識別コードが工程管理サーバ５に通知されるものであってもよい。また、オペレータが、識別タグ２０に表記された物件識別コードを認識して、オペレータが端末装置に物件識別番号の入力を行うことにより、端末装置から物件識別番号が工程管理サーバ５に通知されるものであってもよい。
【００４４】
工程管理サーバ５は、クリーニング作業セクション１０から物件識別コードが通知されると、これを通信回線４を介してデータサーバ１に送信し、カルテＤＢ検索部１３は通知された物件識別コードと一致する物件識別コードが登録された電子カルテを、カルテＤＢ３より検索する。そして、データサーバ１は、カルテＤＢ３より抽出された電子カルテを、物件識別コードを通知した作業エリアにおける処理に対応した処理情報として、クリーニング作業セクション１０に送信する。なお、クリーニング作業セクション１０がデータサーバ１に物件識別コードを通知するとき、この物件識別コードと共に作業エリアを示す情報をも通知するものとしてもよい。
【００４５】
クリーニング作業セクション１０の作業エリアでは、物件識別コードに対応した電子カルテを受けると、受けた電子カルテを表示（出力）することで、オペレータに対して、預かり物２１に必要な処理情報を認識させる。このとき、データサーバ１より受けた処理情報が、端末装置の表示部又はディスプレイなどに表示されるものとしてもよいし、プリンタによって記録紙に印字されることで表記されるものとしてもよい。
【００４６】
このようにして、電子カルテにおける処理情報が表示（出力）されると、オペレータは、処理情報に基づいて必要な処理を認識し、その処理を行うための処理装置を使用して、預かり物２１への処理を開始する。特に、カウンセリングセクション９で、顧客３０が決定した納期のスケジュールに従って、各種のクリーニング作業が行われる。そして、預かり物２１への処理を開始すると同時に、オペレータは、預かり物２１への処理を開始することを、工程管理サーバ５を介してデータサーバ１に通知し、処理を行う預かり物２１に対する処理履歴を更新することを要求する。これにより、クリーニング処理を行う預かり物２１に対応する電子カルテに対して、預かり物２１にクリーニング作業セクション１０で決定された処理が為されていることを示す履歴が追加登録される。
【００４７】
さらに、洗濯処理、仕上げ処理、又は修理修繕処理等がなされるとき、処理対象となる預かり物に取り付けられた識別タグ２０に記録された物件識別コードを、リーダ装置等で読み出すか、その物件識別コードを各作業エリアで入力することにより、物件識別コードと各作業エリアでのエリア識別コードとが工程管理サーバ５及びデータサーバ１に送信されることにより、各種処理の開始、終了を認識し、対応する電子カルテへその作業履歴を登録できる。
【００４８】
クリーニング作業が終了すると、各預かり物の写真撮影又は採寸が行われる。採寸は、クリーニング処理後の預かり物２１の寸法を測定するものである。作業者は測定した寸法を、端末装置６５から寸法データを送信する。寸法データは工程管理サーバ５を介してデータサーバ１に送信され、データサーバ１の制御部１８は電子カルテ記録部１４に指令を出し、電子カルテ記録部１４は、寸法データを物件識別コードに関連づけて、カルテＤＢ３に記憶させる。このときの寸法データが図５に示す「クリーニング処理後の状態」の項目の「寸法」に該当する。このように、電子カルテには、預かり物について、クリーニング処理前の寸法とクリーニング処理後の寸法が記録されるので、これらを比較して、クリーニング処理により型崩れがないか等を判定することができる。
【００４９】
一方、写真撮影は、クリーニング処理前の写真撮影と同様、個々の預かり物２１について、全体の写真撮影と、複数の領域に分割した部分の写真撮影が行われる。このクリーニング処理後の写真データは、識別タグ２０に基づく物件識別コードとともに、工程管理サーバ５を介してデータサーバ１に送信される。データサーバ１の預かり物画像記録部１５は、物件識別コードに関連付けてクリーニング処理後の預かり物画像データとして預かり物画像ＤＢ２に記憶させる。前述したように、クリーニング処理には、預かり物を修理・修繕する処理が含まれているので、クリーニング処理後の預かり物画像データには、預かり物を洗濯、仕上げ処理等を行わずに、修理・修繕のみを行った画像データが含まれている。
【００５０】
図６に、預かり物画像ＤＢ２のデータ構造を示す。物件識別コード毎に、預かり時点画像（クリーニング処理前画像）とメンテナンス後画像（クリーニング処理後画像）が記憶されている。預かり時点画像は、複数の全体画像１〜ｎ、複数の部分画像１〜ｍが登録されている。複数の全体画像については、対象となる預かり物の全体を把握できるようにするために、例えば衣類の表側、裏側、横方向、上下方向等アングルを変えて写真撮影しており、このアングルを変えて撮影した全体画像に対して、それぞれ部分画像を単数又は複数撮影するようにしている。
【００５１】
また、メンテナンス後画像についても、複数の全体画像１〜Ｎ、複数の部分画像１〜Ｍが登録されている。預かり時点で撮影した画像の複数の全体画像１〜ｎに対応して、ほぼ同じアングルで撮影したメンテナンス後画像が全体画像１〜Ｎとして登録される。さらに、この全体画像１〜Ｎに対して、それぞれ複数の部分画像１〜Ｍが、預かり時点の複数の部分画像１〜ｍ画像に対応して、ほぼ同じ部位の部分画像が部分画像１〜Ｍとして登録される。
【００５２】
上述した、クリーニング処理前後の複数の全体画像１〜ｎ、１〜Ｎ、複数の部分画像１〜ｍ、１〜Ｍが物件識別コードで特定される預かり物毎に写真撮影されて、画像として預かり物画像ＤＢ２に登録される。また、特定の物件識別コードで示される預かり物を過去に複数回受付処理し、クリーニング処理を行っている場合には、その物件識別コードには、過去に行われたクリーニング処理毎に関し、預かり時点画像とメンテナンス後画像がそれぞれ時系列で登録される。また、入荷時に識別タグが取り付けられていない場合には、異なる物件識別コードが割り当てられた識別タグが取り付けられるため、その物件識別コードにより、クリーニング処理前画像と処理後の画像が管理される。
【００５３】
（出荷）
クリーニング作業セクション１０での処理が全て完了した預かり物８が出荷セクション５６に搬入されると、オペレータは、搬入された預かり物２１に取り付けられた識別タグ２０に基づく物件識別コードを入力する。この預かり物２１の物件識別コードは、リーダ装置又は端末装置５６などから、工程管理サーバ５を通じてデータサーバ１に通知される。
【００５４】
データサーバ１は、出荷セクション１１から通知された物件識別コードを受けると、カルテＤＢ検索部１３が、カルテＤＢ３内を検索し、受信した物件識別コードが登録された電子カルテを抽出する。そして、電子カルテ記録部１４は、出荷セクション５６に搬入されて包装又は検品などの処理がなされたものとして、包装済又は検品済であることを示す履歴情報を、抽出した電子カルテに対して、受信した物件識別コードと一致する預かり物２１に対して追加登録する。
【００５５】
そして、同じ顧客からの預かり物が全て指定エリアに揃ったとき、これらの預かり物を１つの宅配物として梱包して発送する。または、カウンセリングセクション９で、顧客が個々の預かり物毎に、異なる納期を設定していた場合は、その納期に従って、個別に宅配便により発送する。以上の全ての預かり物を１つにまとめて発送する場合、個別に発送する場合のいずれの場合でも、識別タグ２０は取り付けたままにして顧客３０の元へ配送するようにしても良い。また、識別タグ２０を取り外して顧客３０の元へ配送しても良い。
【００５６】
（同じ預かり物についての２度目以上の依頼）
次に、顧客３０が、クリーニング処理工場に対してクリーニングの依頼を再度行う場合、一度依頼を行って顧客の元へ戻ってきた預かり物に識別タグ２０が取り付けられた状態になっている場合は、取り付けられた状態のままクリーニング処理工場に配送又は持ち込まれ場合は、クリーニング処理工場では、上述したように、入荷の受付から出荷まで作業が行われるのであるが、１度依頼を受けた預かり物については、識別タグ２０が取り付けられているので、物件識別コードを付与する必要がなく、識別タグを取り付ける必要もない。したがって、同じ預かり物の２度目以上の依頼の場合には、当該預かり物について識別タグ取付作業の必要がなく、識別タグ取付セクション８での作業を省略して処理を進めることができる。また、物件識別コードの発行を行う必要がなく、預かり物属性情報等は、過去の履歴を用いれば良いので、カルテ作成セクション７における作業が簡略化される。
【００５７】
一方、出荷する際に識別タグ２０を取り外して顧客３０の元へ配送した場合や顧客３０が識別タグ２０を取り外した場合等、識別タグ２０が取り付けられていない状態の場合には、識別タグ取付セクション８で、新たな物件識別コードが当該預かり物に付与されて、新たな物件識別コードが登録された識別タグが取り付けられる。なお、顧客３０が識別タグ２０を取り外した痕跡等が残っている等、取り付けられていた識別タグの物件識別コードがわかる場合には、新たな物件識別コードを発行せずに、前の物件識別コードを使用する場合もある。
【００５８】
（顧客又は閲覧者のアクセス）
顧客３０は、情報管理部１０１の預かり物画像ＤＢ２及びカルテＤＢ３にアクセスすることができる。また、カルテＤＢ３にアクセスした場合には、電子カルテの一部の内容を変更できるだけでなく、新たな項目を追加してカスタマイズすることができる。例えば、所定のウエブページに顧客ＩＤとパスワードを入力してログインした後、カルテＤＢ３から特定の電子カルテを検索して抽出し、夏物、冬物等の項目が間違っていた場合には、それを訂正することができる。また、電子カルテには、例えば、備忘録（○○の結婚式で使用、○○よりプレゼント）を入力する欄を設けることができる。このように新規の項目を複数追加して、カスタマイズすることも可能に構成されている。
【００５９】
図２は、電子カルテ情報の閲覧の流れを示すフローチャートである。顧客３０は所有する端末装置５７を使用し、所定のウエブページに顧客ＩＤとパスワードを入力してログインする（Ｓ１）。検索画面では、例えば、図７に示すような画面が表示される。返却された預かり物に識別タグ２０が取り付けられている場合は、識別タグ２０より直接情報を読み出すリーダ装置が用いられるか、または、顧客が識別タグ２０に表記された物件識別コード入力する等して、図７の物件識別コードの欄に入力を行う。
【００６０】
入力された物件識別コードにより検索が行われ、電子カルテに登録されている物件識別コードと入力された物件識別コードが一致する電子カルテが抽出される（Ｓ２）。顧客の端末装置５７から通信回線４を介して顧客ＩＤと物件識別コードがデータサーバ１に送信され、顧客ＩＤと物件識別コードに基づいて、カルテＤＢ検索部１３がカルテＤＢ３を検索し、該当する電子カルテを全て抽出する。抽出された電子カルテには、預かり物属性情報やクリーニング処理の履歴情報等も記載されているので、これらを合わせて表示する（Ｓ３）ことにより、特定の預かり物についての過去のクリーニング処理履歴を確認し、参考にすることができる。
【００６１】
次に、図３は、預かり物画像の閲覧の流れを示すフローチャートである。顧客３０又は閲覧者３１は所有する端末装置５７を使用し、所定のウエブページに顧客ＩＤとパスワードを入力してログインする（Ｓ１１）。ログインした後、物件検索画面を選択して表示させる。物件検索画面は、例えば図７のように構成されている。顧客は、物件検索条件設定の項目に、検索のためのキーワードを入力する。図７の例では、アイテム、ブランド、素材、色、特徴の５項目がキーワード入力又は選択の項目として挙げられている。特徴の項目については、フリル、コーデュロイ、レース等の項目から１つ又複数の項目を選択する構成となっており、選択する場合は、チェックボックスにチェックを入れる。これらの５項目は、カルテＤＢ３に記憶された電子カルテに登録されている項目である。これらの項目にキーワードを入力又は洗濯を行い、検索ボタンをクリックして検索を行う（Ｓ１２）。キーワードの入力又は選択を行う項目は、図７に示された５項目だけに限らず、電子カルテに登録されている項目であれば、使用することができる。
【００６２】
図７の例では、アイテム、ブランド、素材、色の全ての項目にキーワードを入力しているが、キーワードを入力する項目は１つだけであっても良いし、複数の項目を組み合わせて使用しても良い。
【００６３】
検索ボタンがクリックされると、顧客の端末装置５７から通信回線４を介して顧客ＩＤとキーワードがデータサーバ１に送信され、キーワードに基づいて、カルテＤＢ検索部１３がカルテＤＢ３を検索し、該当する電子カルテが全て抽出される。カルテＤＢ３と預かり物画像ＤＢとは、物件識別コードにより関連付けられているので、抽出された電子カルテに登録されている物件識別コードに基づき、預かり物画像ＤＢ検索部１２は、預かり物画像ＤＢから対応する預かり物全てについて、クリーニング処理前画像（預かり時点画像）とクリーニング処理後画像（メンテナンス後画像）を抽出する。このようにして、端末装置５７には、抽出された預かり物について、顧客自身が所有する預かり物だけでなく、他人が所有する預かり物についても、クリーニング処理前画像とクリーニング処理後画像の両方の画像を対比して表示させることができる（Ｓ１３）。
【００６４】
図７の物件検索画面を用いて検索を行った後の該当する物件が表示された画面の例を図８に示す。図８では、アイテム、ブランド、素材、色の各項目に入力されたキーワードに合致する物件が、物件識別コードとともに一覧表示される。複数の物件から特定の物件を選択する場合は、物件識別コードの横に表示されている選択ボタンをクリックする。例えば、図８で一番上に表示されている物件識別コードを選択すると、図９のような画面が表示される。図９の例では、物件識別コード１０００５６７の預かり物件について、預かり時点画像とメンテナンス後画像が対比して表示される。
【００６５】
一例として画像の表示は、上段に全体画像が、下段に部分画像が表示され、全体画像では、アングルを変えて写真撮影を行った画像が表示される。全体画像表示では、クリーニング処理前後の違いが良くわかるように、預かり時点画像における全体画像の左右の並びとメンテナンス後画像における全体画像の左右の並びを同じ位置に同じアングルの画像が並ぶように配置され、対比できるように表示される。
【００６６】
部分画像表示では、特定のアングルで撮影した全体画像に対する部分画像を全体画像の直下に表示している。部分画像が複数枚ある場合には、全体画像の直下に直列に並べて表示する。また、クリーニング処理前後の違いが良くわかるように、預かり時点画像における部分画像の上下の並びとメンテナンス後画像における部分画像の上下の並びを同じ位置に同じ部位の画像が並ぶように配置するようにし、対比できるように表示される。なお、画像の表示に関しては、クリーニング処理前とクリーニング処理後の画像を比較することが目的であるので、比較できれば、必ずしも１画面上に並べて表示しなくとも良い。
【００６７】
さらに、メンテナンス後画像には、メンテナンス内容と料金の表示が行われるようにしても良い。図９では、物件識別コード１０００５６７の預かり物のクリーニング作業に関し、施されたメンテナンス内容とメンテナンス内容に対応した料金が表示されるようにしている。これにより、顧客は、これからクリーニングに出す預かり物が、どのようなメンテナンス内容が行われた場合に、どのような仕上げになるのか、メンテナンス後の預かり物の仕上がり具合を事前に想定することができ、その料金も知ることができるので、クリーニングを依頼しやすくなる。また、メンテナンスの内容によっては、処理後に風合いが変わるといったようなリスクが発生する場合がある。そこで、図９では図示していないが、メンテナンス内容の項目に、リスク内容を表示するようにしても良い。例えば、メンテナンス１の項目の下に、リスク１というように表示することができる。上記、メンテナンス料金、リスク内容のデータについては、電子カルテに対応する項目を設けて登録しても良いし、別の記憶手段に記憶させておいても良い。
【００６８】
上記のように、顧客３０又は閲覧者３１がクリーニング業者側のデータサーバ１、預かり物画像ＤＢ２、カルテＤＢ３にアクセスできることにより、過去の履歴から、ブランド名・商品種別・素材・メンテナンス内容等で検索・抽出して該当する預かり物の情報を確認することができる。また、その衣服の属性情報やメンテナンス情報（クリーニング処理の履歴）を確認することができる。
【００６９】
また、過去のクリーニング処理前とクリーニング処理後の写真画像を全体及び部分で比較することができるので、例えば、顧客が所有している衣服と類似した他人の衣服（同じブランド、同じアイテム、同系色）のクリーニング処理前及び処理後の写真画像を検索して閲覧することができ、顧客が所有している衣服のクリーニング処理後の状態を擬似的に確認することができる。また、これから購買する予定の衣服のクリーニング処理後の写真を確認することもできる。これにより、クリーニング処理方法を選択する場合の参考としたり、購買する予定の衣服の種類を選択する際の参考とすることができる。
【００７０】
他方、閲覧者３１は、クリーニング処理前とクリーニング処理後の写真画像を全体及び部分で比較することができるので、例えば、閲覧者３１が衣類や装飾品のブランドメーカーの場合は、自社の商品についてメンテナンス後の仕上がり具合の情報を得ることができ、メンテナンス方法等を自社の顧客にアドバイスできる。
【００７１】
次に、クリーニング情報提供システムは、ＳＮＳ接続部１６を備えており、全機能がＳＮＳ（預かり物、クリーニング処理、クリーニング処理後の保管等に関する様々な情報を交換できる場）に連動しており、クリーニングを利用した感想をクリーニング処理前及び処理後の写真を交えながら共有することができるようになっている。さらに、ブランドや、アイテムに関する“うんちく”を公開したり、イベント情報など、クリーニング利用者間で、預かり物やメンテナンスに関する様々な情報を交換することができる。
【００７２】
クリーニング情報提供システムはクリーニングに関する情報を活用することのできるクリーニング業務の総合システムであり、経理、人事等の基幹業務を総合的に管理できるＥＲＰシステムとすることも可能である。今流行のＥＲＰシステムはＥＲＰパッケージを基本として、多くの企業で共通化することのできる業務をパッケージとして導入することにより、システムの開発コストを抑えることが目的となっている、そのためにカスタマイズもできるだけ抑えるというのが基本的な考え方になっている。これでは、どの会社も個性の無い同じ顔の会社が出来上がり、過当競争にさらされ、業界の発展につながらない。
【００７３】
本来は基幹システムの部分をその企業の個性にあわせることにより、企業の個性と価値を生かすことができ、企業文化を生み出すことで、本当の競争力を生み出すことができる。クリーニング情報提供システムは、クリーニングに関するケアメンテナンス業務を網羅して最適化することで衣服のケアメンテナンスの価値を最大限に引き出すことのできるＥＲＰシステムとすることが可能である。
【産業上の利用可能性】
【００７４】
本発明は、クリーニングに関する情報を活用することのできるクリーニング業務の総合システムであり、経理、人事等の基幹業務を総合的に管理できるＥＲＰシステムに適用することができる。
【符号の説明】
【００７５】
１      データサーバ
２      預かり物画像ＤＢ
３      カルテＤＢ
４      通信回線
５      工程管理サーバ
６      入荷セクション
７      カルテ作成セクション
８      識別タグ取付セクション
９      カウンセリングセクション
１０    クリーニング作業セクション
１１    出荷セクション
１２    預かり物画像ＤＢ検索部
１３    カルテＤＢ検索部
１４    電子カルテ記録部
１５    預かり物画像記録部
１６    ＳＮＳ接続部
５１〜５７、６５  端末装置
６６  採寸セクション
【図１】
2018142367.tif 000003
【図２】
2018142367.tif 000004
【図３】
2018142367.tif 000005
【図４】
2018142367.tif 000006
【図５】
2018142367.tif 000007
【図６】
2018142367.tif 000008
【図７】
2018142367.tif 000009
【図８】
2018142367.tif 000010
【図９】
2018142367.tif 000011